(57)【特許請求の範囲】
【請求項１】
長尺形材からなる複数の同一形状のデッキ材を根太の上面にその根太に直角状態に順次載置・固定し、先順位デッキ材の後順位デッキ材側の端部に形成されている上面開口の雨樋に後順位デッキ材の先順位デッキ材側の端部の側面壁を嵌合して、互いに隣り合うデッキ材の上面に降った雨が前記雨樋に流入し得るように連設するデッキ材連設構造において、
前記デッキ材は、金属形材と、その金属形材を被覆する樹脂形材とを重合してなり、
前記金属形材は、上面壁と、下面壁と、それら上、下面壁の一端部を接続する第１側面壁と、前記上面壁の他端部近傍と前記下面壁の端部を接続し、下部に傾斜面を有する案内壁と、前記上面壁の他端部に設けられ、前記案内壁の傾斜面の上端部とほぼ等しい高さまで垂下する第２側面壁と、前記下面壁を前記第１側面壁との接続部から後順位デッキ材側に延長し、かつ、立ち上げて形成されたＬ字形の屈曲壁と、前記第２側面壁と前記案内壁との間に形成された嵌合溝と、前記第１側面壁と前記屈曲壁により形成された上方に開口する雨樋とを有し、
前記第１側面壁と前記屈曲壁の立ち上がり部は、その高さ方向上部において屈曲されて前記雨樋の断面形状が凸字形とされて、その雨樋の容積が拡大されており、
前記上面壁の一端部から前記第１側面壁の屈曲部までの高さと前記第２側面壁の高さはほぼ等しく前記金属形材の高さの半分に満たないものであり、
前記屈曲壁の上端部に前記上面壁の下面の高さと少なくとも等しい高さまで突出する水密材が取り付けられており、
前記樹脂形材は、浅い平皿状の断面形状を有して、前記金属形材の上面壁と第１側面壁の屈曲部よりも上側部分と第２側面壁とを被覆した状態で前記金属形材に係合されており、
先順位デッキ材の雨樋に後順位デッキ材の第２側面壁を嵌合するとき、前記案内壁の傾斜面が先順位デッキ材の屈曲壁の上端部の前記水密材に当接して後順位デッキ材の第２側面壁が前記先順位デッキ材の雨樋に案内され、かつ、前記水密材が後順位デッキ材の第２側面壁と前記案内壁との間の嵌合溝に案内され、前記先順位デッキ材の水密材が後順位デッキ材の上面壁の下面に密着することを特徴とするデッキ材連設構造。
【発明の詳細な説明】
【技術分野】
【０００１】
本発明は、デッキ面の下方に雨水流下を避けたいスペースを有するルーフデッキ等におけるデッキ材の連設構造に関する。
【背景技術】
【０００２】
図１に例示するように、人の背丈よりも高い位置に設けたデッキＤを支柱Ｐで支持し、地上から階梯Ｌでデッキ上面まで上り下りできるようにしたルーフデッキＲＤは、デッキＤの下方に空きスペースＳを有し、その空きスペースは一般的には車庫として用いられるが、駐車する車両を保有していない場合、あるいは当分の間は車両が駐車しないときは、その空きスペースが洗濯物干しスペース、遊技スペースなどとして使用される場合も少なくない。いずれにしても、デッキＤは空きスペースの屋根を兼ねるので、降雨時にデッキ下面から雨水が流下あるいは滴下しないようにデッキ材を連設することが望まれる。
【０００３】
従来のデッキ材連設構造においては、デッキ材の幅方向一端部に雨樋が形成されていて、隣接するデッキ材の上面に降った雨が、そのデッキ材の雨樋の中に流入し、その雨樋の長手方向端部からデッキの端辺又は周辺に設けられている桁に形成されている雨樋に流下し、その桁の雨樋から地上に排水されるようになっている。
【特許文献１】特になし。
【発明の開示】
【発明が解決しようとする課題】
【０００４】
しかしながら、上記従来のデッキ材連設構造により形成される雨樋は容積が小さく、雨水収容能力に限界があるため、大雨の時は、デッキ材の雨樋に流入した雨水が桁の雨樋に流出し切れず、雨樋の中間部からデッキ材の側面に溢出してしまい、その結果、デッキ面の下方に流下又は滴下することとなる場合がある。
【０００５】
本発明は、上記の点に鑑みてなされたものであり、その課題は、大雨の際も雨水がデッキ面の下方に流下又は滴下することのないようにしたデッキ材連設構造を提供することにある。
【課題を解決するための手段】
【０００６】
上記課題を解決するため、本発明によるデッキ材連設構造は、長尺形材からなる複数の同一形状のデッキ材を根太の上面にその根太に直角状態に順次載置・固定し、先順位デッキ材の後順位デッキ材側の端部に形成されている上面開口の雨樋に後順位デッキ材の先順位デッキ材側の端部の側面壁を嵌合して、互いに隣り合うデッキ材の上面に降った雨が前記雨樋に流入し得るように連設するデッキ材連設構造において、
（ａ）前記デッキ材は、金属形材と、その金属形材を被覆する樹脂形材とを重合してなり、
（ｂ）前記金属形材は、上面壁と、下面壁と、それら上、下面壁の一端部を接続する第１側面壁と、前記上面壁の他端部近傍と前記下面壁の端部を接続し、下部に傾斜面を有する案内壁と、前記上面壁の他端部に設けられ、前記案内壁の傾斜面の上端部とほぼ等しい高さまで垂下する第２側面壁と、前記下面壁を前記第１側面壁との接続部から後順位デッキ材側に延長し、かつ、立ち上げて形成されたＬ字形の屈曲壁と、前記第２側面壁と前記案内壁との間に形成された嵌合溝と、前記第１側面壁と前記屈曲壁により形成された上方に開口する雨樋とを有し、
（ｃ）前記第１側面壁と前記屈曲壁の立ち上がり部は、その高さ方向上部において屈曲されて前記雨樋の断面形状が凸字形とされて、その雨樋の容積が拡大されており、
（ｄ）前記上面壁の一端部から前記第１側面壁の屈曲部までの距離と前記第２側面壁の高さはほぼ等しく前記金属形材の高さの半分に満たないものであり、
（ｅ）前記屈曲壁の上端部に前記上面壁の下面の高さと少なくとも等しい高さまで突出する水密材が取り付けられており、
（ｆ）前記樹脂形材は、浅い平皿状の断面形状を有して中心に関して左右対称形であり、前記金属形材の上面壁と第１側面壁の屈曲部よりも上側部分と第２側面壁とを被覆した状態で前記金属形材に係合されており、
（ｇ）先順位デッキ材の雨樋に後順位デッキ材の第２側面壁を嵌合するとき、前記案内壁の傾斜面が先順位デッキ材の屈曲壁の上端部の前記水密材に当接して後順位デッキ材の第２側面壁が前記先順位デッキ材の雨樋に案内され、かつ、前記水密材が後順位デッキ材の第２側面壁と前記案内壁との間の嵌合溝に案内され、前記先順位デッキ材の水密材が後順位デッキ材の上面壁の下面に密着することを特徴としている。
【０００７】
上記構成により、雨樋はその断面積に長さを乗じた値とほぼ等しい拡大された容積を有するので、従来のデッキの雨樋よりも数倍大きい雨水収容能力を有する。従って、通常の降雨量の場合は、デッキ上面から流入する雨水に問題なく対処できる。また、雨樋は水密材によりデッキ材の下面方向に密封されているので、デッキ上面から雨樋にその容積を超える雨水が流入しても、デッキ下面から雨水が流下することは無く、デッキ面の端辺から地上に又は桁の雨樋に排水することができる。
【０００８】
また、金属形材の上面壁の一端部から第１側面壁の屈曲部までの距離と第２側面壁の高さはほぼ等しくされており、樹脂形材は、浅い平皿状の断面形状を有して中心に関して左右対称形である。そして、金属形材の上面壁と第１側面壁の屈曲部よりも上側部分と第２側面壁とを被覆した状態で金属形材に係合されている。
【発明の効果】
【０００９】
請求項１の発明によれば、第１に、雨樋の容積が格段に増大されているので、降雨量が若干多い時は、拡張された雨樋を経て円滑に排水することができるから問題はなく、また、雨樋はデッキ材の下面方向に対しては水密材で密封されているので、雨樋の収容力を越える大雨の際も、余剰雨水はデッキ上面をその端辺方向に流れ、デッキ下面に流下したり滴下することがない。従って、にわか雨のためにルーフデッキ下側のスペースに存在する洗濯物や貨物などを濡らしてしまうことを防止することができる。
【００１０】
第２に、樹脂形材は、金属形材の上面と側面の上部のみを被覆するため、浅い平皿状の断面形状を有して中心に関して左右対称形に形成することができる。従って、樹脂材料消費が少なく、安価に製造できる。第３に、樹脂形材は、左右対称形に形成されるので、左右を選ばずに金属形材に結合することができる。第４に、樹脂形材は、断面形状が浅い皿状に形成されるので、製造コストが低減されるばかりでなく、後順位デッキ材の第１側面壁が雨樋に嵌合されることによって雨樋の容積が縮小される原因にならず、かつ、デッキ材の上面の木調装飾が損なわれることもない。第５に、デッキ材の第２側面壁の高さを第１側面壁の上端部から屈曲部までの高さと等しく、金属形材の高さの半分に満たないものとしてあるので、先順位デッキ材の雨樋に後順位デッキ材の第２側面壁を嵌合するとき、案内壁の傾斜面が先順位デッキ材の屈曲壁の上端部の水密材に当接して後順位デッキ材の第２側面壁が先順位デッキ材の雨樋に案内され、かつ、水密材が後順位デッキ材の第２側面壁と案内壁との間の嵌合溝に案内されるので、円滑にデッキ材連設作業を行なうことができる。
【発明を実施するための最良の形態】
【００１１】
続いて、本発明の実施の形態について、図２及び図３に基づいて説明する。
図２は、本発明に係るデッキ材連設構造を構成するデッキ材の断面図、図３はそのデッ
キ材を用いて連設されたデッキの一部の断面図である。
【００１２】
本発明に係るデッキ材２Ｎは、いずれも同一の形状構造を有する。すなわち、根太１の上面に載置して当接されるアルミニウム合金製の中空形材からなる長尺の金属形材ｍと、その金属形材の下面を除く外周面を被覆する樹脂板製の長尺の樹脂形材ｐとを有している。金属形材ｍは、上面壁３、下面壁４、それら上面壁と下面壁４の幅方向両端部同士を接続する第１側面壁５と案内壁６を有し、中間壁７により区画された二つの中空部８，９を備えている。案内壁６の下部は中間壁７に近づく方向に傾斜されている。下面壁４は第１側面壁５との接続部から案内壁６と反対方向にほぼＬ字形に延長屈曲され、その屈曲壁１３により第１側面壁５との間に上方に開口する雨樋１４が形成されている。金属形材ｍの上面壁３は案内壁６との接続部から第１側面壁５と反対方向に延長され、その端部において案内壁６の傾斜面の上端部付近まで垂下する第２側面壁１０が形成され、案内壁６と第２側面壁１０の間に下方に開口する嵌合溝１５が形成され、第２側面壁１０の下部に第２係止部１２が形成されている。
【００１３】
第１側面壁５はその上部で第２側面壁１０側に屈曲されて第１係止部１１を形成しているとともに、第１側面壁５をできるだけ高い位置で第２側面壁側に屈曲し、かつ屈曲壁１３の立ち上がり部を第１側面壁５の屈曲部と等しい高さで第１側面壁５側に屈曲することにより、雨樋１４が断面ほぼ凸字形に形成されて雨樋の容積、すなわち、雨水収容能力が可能な限り拡大されている。また、屈曲壁１３の上端部に弾性材料で作られた水密材２０が上向きに突出するように取り付けられている。その水密材２０の高さは少なくとも金属形材の上面壁３の下面の高さと等しくされている。また、第２係止部１２も第１係止部１１と同じ高さに設けられている。
【００１４】
樹脂形材ｐは、金属形材ｍの第１側面壁５の第１係止部１１から上面壁３の上面を経て第２側面壁１０の第２係止部１２まで被覆する２層に積層された内層形材ｐ１と外層形材ｐ２とからなっていて、断面形状がほぼ倒伏皿状に形成されている。内層形材ｐ１は硬質樹脂材料で成形され、幅方向両端の側面壁の下部に形成された被係止爪１６，１７をそれぞれ金属形材ｍの第１係止部１１及び第２係止部１２に嵌合係止されて、一体的に結合されている。外層形材ｐ２は軟質樹脂材料で成形され、木調の色彩及び／又は模様を有している。樹脂形材ｐを金属形材ｍに結合した状態では、樹脂形材ｐの一方の側面壁２ｓは金属形材の第１側面壁５の上部と一体的に重なり合い、樹脂形材ｐの他方の側面壁２ｓは金属形材の第２側面壁１０と一体的に重なり合う。従って、以下に第１側面壁５又は第２側面壁１０というときは、樹脂形材の側面壁２ｓをも含む場合がある。
そして、樹脂形材ｐは金属形材ｍの上面壁３の上面及び両側面壁５，１０の外面を被覆しているが、上記金属形材ｍの改善された構成に伴い、樹脂形材ｐの幅方向両端部の側面壁２ｓの上面壁２ｔからの垂下長は金属形材ｍの第１係止部１１又は第２係止部１２で止められている。つまり、本発明に係るデッキ材の樹脂形材ｐの側面壁２ｓの垂下長は金属形材ｍの高さの半分に満たないので、樹脂形材ｐの断面形状は浅い皿状である。
【００１５】
こうして、樹脂形材ｐをその上面壁２ｔが金属形材の上面壁３を覆い、側面壁２ｓが金属形材の側面壁５，１０を覆うように重ね合わせ、両端部の被係止部１６，１７を金属形材の係止部１１，１２に係止することにより、図２に示されたデッキ材２Ｎが作られ、これにより、各デッキ材は従来のデッキ材よりも容積が拡大された雨樋１４を有し、かつ、その雨樋を形成する屈曲壁１３の上端部に水密材２０が突設されている。
【００１６】
デッキ材２Ｎを根太１に取り付けるときは、図３に示すように、根太１に載置した先順位のデッキ材２Ｎ（ａ）をその幅方向中央の中間壁７に近い位置においてビス１８を貫通し根太１にねじ込んで、そのデッキ材を固定した後、そのデッキ材の隣りに後順位デッキ材２Ｎ（ｂ）を根太に載置するが、その際に、嵌合溝１５に先順位デッキ材２Ｎ（ａ）の屈曲壁１３の立上り部を嵌合させると、後順位デッキ材２Ｎ（ｂ）の案内壁６の傾斜面が先順位デッキ材２Ｎ（ａ）の屈曲壁１３の上端部に接触し、これに案内されて、屈曲壁１３の上端部が傾斜面の上端部から外れるまで後順位デッキ材２Ｎ（ｂ）が下降する。屈曲壁１３の上端部が傾斜面から外れた時に後順位デッキ材２Ｎ（ｂ）の下面壁４が根太１の上面に当接する。この時、後順位デッキ材の第２側面壁１０は先順位デッキ材２Ｎ（ａ）の雨樋１４の開口部付近の先順位デッキ材２Ｎ（ａ）の第１側面壁５と対向する位置に停止する。
【００１７】
続いて、取付後の構成の特徴及び降雨時の排水性能について説明する。
取付終了後の先順位デッキ材２Ｎ（ａ）の雨樋１４には、その上位に、後順位デッキ材２Ｎ（ｂ）の先順位デッキ材の側面壁１０，２ｓがその雨樋の深さの上半部よりも上側、すなわち、デッキ材の第１側面壁５の係止部１１の形成及び雨樋の拡幅のために屈曲された部分よりも上側にのみ存在する。従って、拡大された雨樋１４のほぼ全域が実質的な雨樋１９Ｎを構成する。また、雨樋１４を形成する屈曲壁１３の上端部に設けられた水密材２０は、後順位デッキ材の金属形材ｍの上面壁３の下面に密着する。すなわち、雨樋１９Ｎ（１４）はデッキ材の下面方向には密閉されている。
【００１８】
なお、図示されていないが、雨樋１９Ｎ（１４）の長手方向（図３の紙面に垂直方向）端部は、デッキの端辺又は周辺に設けてある桁の雨樋に連通されている。また、各デッキ材の隣り合う側面壁２ｓの間には、慣用技術によりスペーサ２１が間隔的に介在される。
【００１９】
上記のようにして、デッキ面に降った雨水は、デッキ材の間の隙間から雨樋１９Ｎ（１４）に流入し、その雨樋の長手方向端部から排出される。本発明によるデッキ材２Ｎの雨樋１９Ｎは容積が大きいので、通常の降雨量の場合は、各雨樋により十分に排水することができる。また、大雨の時には、雨樋から溢れることがあっても、その溢出する雨水は、デッキ面の端辺から地上に流下し、あるいは、桁の雨樋に流入する。そして、雨樋１９Ｎはデッキ材の下面方向には密閉されているから、デッキ面の下面側に流出して流下したり滴下することはない。
【図面の簡単な説明】
【００２０】
【図１】一般的なルーフデッキの一例を示す正面図。
【図２】本発明の主たる構成要素であるデッキ材の断面図。
【図３】本発明に係るデッキ材連設構造の一例を示すデッキの要部の断面図。
【符号の説明】
【００２１】
１        根太
２Ｎ      デッキ材
ｍ        金属形材
ｐ        樹脂形材
２ｔ，３  上面壁
２ｓ      側面壁
４        下面壁
５        第１側面壁
１０      第２側面壁
１３      屈曲壁
１４      雨樋
１８      ビス
１９Ｎ    実質的雨樋
２０      水密材
【図１】
0004471912.tif 000002
【図２】
0004471912.tif 000003
【図３】
0004471912.tif 000004